(57)【特許請求の範囲】
【請求項１】
割賦販売を取り扱う割賦販売業者と、前記割賦販売業者にて取り扱う割賦販売を用いて商品を販売するとともに前記割賦販売を申し込むための割賦申込書を受け付ける加盟店とを有し、前記加盟店にて受け付けられた割賦申込書が前記割賦販売業者にファクシミリにて送信された場合に、前記割賦販売業者における前記割賦申込書の受信状態を前記加盟店に通知する受信通知システムであって、
前記加盟店は、公衆網にアクセス可能な端末を有し、
前記割賦販売業者は、前記公衆網を介して前記端末がアクセス可能な情報提供手段を有し、前記加盟店から送信されてきた割賦申込書のイメージと当該割賦申込書における割賦契約の成立の可否とを割賦申込書毎に対応づけてデータベースに登録し、
前記情報提供手段は、前記割賦販売業者にて受信された割賦申込書の全ページの内容が一覧表示され、前記公衆網を介して前記端末がアクセス可能な情報画面を設定し、該情報画面上にて前記割賦申込書の全ページのうち１つのページが指定された場合、該ページにて指定される割賦申込書に対する割賦契約の成立の可否を前記データベースから抽出し、当該割賦申込書に対する割賦契約の成立の可否を示す画面を前記端末に送信する受信通知システム。
【発明の詳細な説明】
【０００１】
【発明の属する技術分野】
本発明は、ファクシミリにて送信されたデータの受信状態を該データの送信元に通知する受信通知システムに関する。
【０００２】
【従来の技術】
従来より、割賦販売法に基づく割賦販売においては、商品の売買契約時に消費者に商品が引き渡される一方、その商品代金の決済が売買契約後の一定期間内に月賦等の分割払いによって行われるため、商品を購入する消費者にとっては非常に便利な商法として利用されている。特に、消費者が比較的高額な商品を購入する場合に多く利用されている。このような割賦販売は、割賦販売業者となるクレジット会社の加盟店において商品を販売する際に行われる。
【０００３】
このような割賦販売を利用して商品を購入する場合、消費者は割賦販売業者となるクレジット会社が指定する割賦申込書に所定の事項を記入し、この割賦申込書を加盟店に提出する。
【０００４】
加盟店においては、提出された割賦申込書に所定の事項が記入されているか確認し、所定の事項が記入されている場合、割賦申込書をクレジット会社にファクシミリにて送信する。
【０００５】
割賦申込書が送信されてきたクレジット会社においては、割賦申込書に記入された事項に基づいて所定の審査を行う。この審査は、割賦販売を用いて消費者に商品を販売することができるか否かを判断するものであって、割賦販売を用いて消費者に商品を販売することができると判断された場合は、割賦契約成立として加盟店に通知され、また、割賦販売を用いて消費者に商品を販売することができないと判断された場合は、割賦契約不成立として加盟店に通知される。
【０００６】
加盟店は、クレジット会社から割賦契約成立として通知された消費者に対して商品を引き渡す。
【０００７】
その後、クレジット会社から加盟店に対して商品の代金が支払われ、また、クレジット会社において、割賦申込書に記入された事項に基づいて、消費者の口座等から商品の代金が一定期間内に月賦等の分割払いによって引き落とされる。
【０００８】
以下に、上述したような割賦販売を用いて商品を販売する際の処理について詳細に説明する。
【０００９】
図６は、割賦販売を用いて商品を販売する際の処理の一例を説明するためのフローチャートである。
【００１０】
消費者は、クレジット会社の加盟店において、クレジット会社が取り扱う割賦販売を利用して商品を購入する場合、まず、その割賦販売の申し込みをする必要があるため、割賦販売の割賦申込書に必要事項を記入し、加盟店に提出する（ステップＳ１０１）。
【００１１】
加盟店においては、消費者が提出した割賦申込書に必要事項が記入されているかどうかを確認し（ステップＳ１０２）、必要事項が記入されてる場合はその割賦申込書をクレジット会社にファクシミリにて送信する（ステップＳ１０３）。
【００１２】
加盟店から送信されてきた割賦申込書がクレジット会社にて受信されると（ステップＳ１０４）、受信結果がクレジット会社から加盟店にファクシミリにて送信される（ステップＳ１０５）。
【００１３】
図７は、クレジット会社から加盟店に送信される受信結果の一例を示す図であり、（ａ）は加盟店から送信された割賦申込書がクレジット会社にて正常に受信された場合にクレジット会社から加盟店に送信される受信結果を示す図、（ｂ）は加盟店から送信された割賦申込書がクレジット会社にて正常に受信されなかった場合にクレジット会社から加盟店に送信される受信結果を示す図である。
【００１４】
加盟店から送信された割賦申込書がクレジット会社にて正常に受信された場合は、図７（ａ）に示すように、クレジット会社における割賦申込書の受信時刻とその枚数、並びに割賦申込書が正常に受信された旨が記載された受信報告がクレジット会社から加盟店にファクシミリにて送信される。
【００１５】
また、加盟店から送信された割賦申込書がクレジット会社にて正常に受信されなかった場合は、図７（ｂ）に示すように、クレジット会社における割賦申込書の受信時刻と割賦申込書が正常に受信されなかった旨とが記載された受信報告がクレジット会社から加盟店にファクシミリにて送信される。
【００１６】
クレジット会社から送信された受信結果は加盟店にて受信される（ステップＳ１０６）。加盟店においては、この受信結果に基づいて、送信した割賦申込書がクレジット会社にて正常に受信されたかどうかを知ることができる。送信した割賦申込書がクレジット会社にて正常に受信されなかった場合は、送信した割賦申込書をクレジット会社に再度ファクシミリで送信する。
【００１７】
また、クレジット会社においては、加盟店から送信されてきた割賦申込書のデータ加工を行う（ステップＳ１０７）。例えば、加盟店から送信されてきた割賦申込書が手書きのものであった場合、この割賦申込書に記入された事項を端末等を介して入力することにより、割賦申込書をデジタルデータに加工する。また、加盟店から送信されてきた割賦申込書がＯＣＲ帳票である場合、この割賦申込書をＯＣＲ処理することにより割賦申込書をデジタルデータに加工する。
【００１８】
さらに、クレジット会社においては、割賦申込書に記入された事項に基づいて所定の審査を行い（ステップＳ１０８）、審査結果を加盟店に通知する（ステップＳ１０９）。なお、この審査は、割賦販売を用いて消費者に商品を販売することができるか否かを判断するものであって、ステップＳ１０７にてデジタルデータに加工された割賦申込書を用いて行われる。この審査において割賦販売を用いて消費者に商品を販売することができると判断された場合は、割賦契約成立として加盟店に通知され、また、割賦販売を用いて消費者に商品を販売することができないと判断された場合は、割賦契約不成立として加盟店に通知される。
【００１９】
加盟店は、クレジット会社から通知された審査結果を受け取り（ステップＳ１１０）、割賦契約成立、すなわち割賦販売を用いて消費者に商品を販売することができると判断された場合に、消費者が指定する商品を消費者に販売し（ステップ１１１）、消費者は商品を受け取ることになる（ステップＳ１１２）。
【００２０】
ここで、大型量販店等においては、消費者が必要事項を記入した割賦申込書を消費者毎にクレジット会社に送信するのではなく、複数の消費者分をまとめてクレジット会社に送信する場合が多い。その場合、大型量販店においては、予め決められた枚数あるいは時間毎に、割賦申込書をまとめてクレジット会社に送信する。
【００２１】
【発明が解決しようとする課題】
しかしながら、上述したような従来の技術においては、ファクシミリで送信された書類の送信先における受信結果が、その受信時刻、受信枚数及び正常に受信されたか否かの情報のみで送信元に通知されるため、複数枚の書類が同時に送信された場合において書類が正常に受信されていないことが通知された場合に、どのページが正常に受信されていないかを書類の送信元にて認識することができず、正常に受信されたページが存在するにも関わらず、全てのページを送信しなおさなければならないという問題点がある。
【００２２】
また、送信された複数枚の書類のうち裏返しの状態で送信されたページが存在する場合であっても、書類の送信先から送信元に通知される受信結果にて示される受信枚数と送信された書類の枚数とが一致しているため、書類の送信元において裏返しの状態で送信されたページが存在することを認識することができないという問題点がある。
【００２３】
また、送信される複数枚の書類がその送信順序が決められたものである場合においてその送信順序が崩れた場合であっても、書類の送信先から送信元に通知される受信結果にて示される受信枚数と送信された書類の枚数とが一致しているため、書類の送信元において書類の送信順序が崩れて送信されたことを認識することができないという問題点がある。例えば、上述したような割賦販売においては、一人の消費者の割賦申込書が複数枚に渡る場合や、割賦申込書に消費者の身分証明書等を添付する場合等においては、その送信順序を崩さないで送信する必要があり、送信順序が崩れた場合は、書類どうしの対応がとれなくなってしまう。
【００２４】
本発明は、上述したような従来の技術が有する問題点に鑑みてなされたものであって、ファクシミリにて送信された書類のページ毎の受信状態を書類の送信元にて認識することができる受信通知システムを提供することを目的とする。
【００２５】
【課題を解決するための手段】
上記目的を達成するために本発明は、
割賦販売を取り扱う割賦販売業者と、前記割賦販売業者にて取り扱う割賦販売を用いて商品を販売するとともに前記割賦販売を申し込むための割賦申込書を受け付ける加盟店とを有し、前記加盟店にて受け付けられた割賦申込書が前記割賦販売業者にファクシミリにて送信された場合に、前記割賦販売業者における前記割賦申込書の受信状態を前記加盟店に通知する受信通知システムであって、
前記加盟店は、公衆網にアクセス可能な端末を有し、
前記割賦販売業者は、前記公衆網を介して前記端末がアクセス可能な情報提供手段を有し、前記加盟店から送信されてきた割賦申込書のイメージと当該割賦申込書における割賦契約の成立の可否とを割賦申込書毎に対応づけてデータベースに登録し、
前記情報提供手段は、前記割賦販売業者にて受信された割賦申込書の全ページの内容が一覧表示され、前記公衆網を介して前記端末がアクセス可能な情報画面を設定し、該情報画面上にて前記割賦申込書の全ページのうち１つのページが指定された場合、該ページにて指定される割賦申込書に対する割賦契約の成立の可否を前記データベースから抽出し、当該割賦申込書に対する割賦契約の成立の可否を示す画面を前記端末に送信する。
【００２９】
（作用）
上記のように構成された本発明においては、ファクシミリにてデータが送信された場合、データの送信先にて受信された全ページのデータが一覧表示された受信確認通知書が送信元に返信される。例えば、割賦販売を取り扱う割賦販売業者と、割賦販売業者にて取り扱われる割賦販売を用いて商品を販売する加盟店との間においては、加盟店にて割賦販売を申し込むための割賦申込書が受け付けられ、該割賦申込書が割賦販売業者にファクシミリにて送信された場合に、割賦販売業者にて受信された割賦申込書の全ページの内容が一覧表示された受信確認通知書が加盟店に返信される。
【００３０】
これにより、加盟店等のデータの送信元においては、割賦販売業者等のデータの送信先におけるデータの受信状態を、送信したデータのページ毎に認識することができるため、データの送受信のページ数が一致する場合であっても、データの一部が裏返しの状態で送信されてしまったり、所望の送信順序でデータが送信されなかったりした場合に、その旨を認識することができる。
【００３１】
【発明の実施の形態】
以下に、本発明の実施の形態について図面を参照して説明する。
【００３２】
図１は、本発明の受信通知システムの実施の一形態を示す図である。
【００３３】
本形態は図１に示すように、インターネットを含む公衆網３０に接続され、公衆網３０を介してサイトを提供するとともに、消費者４０に対する商品の割賦販売を取り扱う割賦販売業者であるクレジット会社２０と、インターネットを含む公衆網３０に接続され、クレジット会社２０にて取り扱われる割賦販売を用いて商品を販売するとともに消費者４０が割賦販売を申し込むための割賦申込書を消費者４０から受け付ける加盟店１０とから構成されている。また、加盟店１０には、消費者４０から受け付けた割賦申込書を公衆網３０を介してクレジット会社２０に送信するとともに、クレジット会社２０から送信された割賦申込書の受信状態を示す受信確認通知書を公衆網３０を介して受信するためのＦＡＸ送受信機１１と、クレジット会社２０が運営するサイトに公衆網３０を介してアクセスするための端末１２とが設けられている。また、クレジット会社２０は、加盟店１０から公衆網３０を介して送信されてきた割賦申込書を受信して該割賦申込書をＯＣＲ処理するとともに、加盟店１０から公衆網３０を介して送信されてきた割賦申込書の受信状態を、受信したページのそれぞれの受信内容からなる縮小イメージを含めた受信確認通知書として公衆網３０を介して加盟店１０に送信するためのＦＡＸ−ＯＣＲサーバ２１と、ＦＡＸ−ＯＣＲサーバ２１にて受信された割賦申込書及びその割賦申込書に基づく審査結果が登録された申込書データベース２２とを有している。
【００３４】
以下に、上記のように構成された受信通知システムにおいて割賦販売を用いて商品を販売する際の処理について、消費者４０がクレジット会社２０の加盟店１０にて割賦販売を利用して商品を購入する場合を例に挙げて詳細に説明する。
【００３５】
図２は、図１に示した受信通知システムにおいて割賦販売を用いて商品を販売する際の処理の一例を説明するためのフローチャートである。
【００３６】
消費者４０は、クレジット会社２０の加盟店１０において、クレジット会社２０が取り扱う割賦販売を利用して商品を購入する場合、まず、その割賦販売の申し込みをする必要があるため、クレジット会社２０が指定する割賦申込書に必要事項を記入し、加盟店１０に提出する（ステップＳ１）。
【００３７】
図３は、図１に示した受信通知システムにおいて用いられる割賦申込書の一例を示す図である。
【００３８】
本形態における割賦申込書は図３に示すように、消費者４０の氏名や生年月日や住所、並びに代金の支払口座に関する情報等からなる個人情報１と、購入する商品等の商品名や代金、並びに支払方法についての情報等からなる購入情報２とが記入可能に構成されている。
【００３９】
消費者４０が割賦申込書に個人情報１を記入し、個人情報１が記入された割賦申込書を加盟店１０に提出すると、加盟店１０において、消費者４０が購入を希望する商品についての購入情報２を割賦申込書に記入することになる。
【００４０】
加盟店１０においては、消費者４０が提出した割賦申込書に必要事項が記入されているかどかを確認し（ステップＳ２）、必要事項が記入されている場合はその割賦申込書に購入情報２を記入し、クレジット会社２０に公衆網３０を介してＦＡＸ送受信機１１にて送信する（ステップＳ３）。
【００４１】
加盟店１０から送信されてきた割賦申込書がクレジット会社２０のＦＡＸ−ＯＣＲサーバ２１にて受信されると（ステップＳ４）、クレジット会社２０において、ＦＡＸ−ＯＣＲサーバ２１にて受信された割賦申込書のイメージが申込書データベース２２に登録される（ステップＳ５）。なお、割賦申込書のイメージの申込書データベース２２への登録においては、割賦申込書の送信元となる加盟店１０を識別可能なＩＤ及びパスワードと対応づけて行われる。このＩＤ及びパスワードは加盟店１０とクレジット会社２０との間にて予め決められているものとする。
【００４２】
また、クレジット会社２０において、ＦＡＸ−ＯＣＲサーバ２１にて受信された割賦申込書のイメージを用いて、クレジット会社２０における割賦申込書の受信状態を示す受信確認通知書が作成される（ステップＳ６）。
【００４３】
図４は、図１に示した受信通知システムにおいてクレジット会社２０にて作成される受信確認通知書の一例を示す図である。
【００４４】
図４に示すように、クレジット会社２０にて作成される受信確認通知書は、加盟店１０から送信された割賦申込書のクレジット会社２０における受信状況を示す受信状況情報３と、ＦＡＸ−ＯＣＲサーバ２１にて受信された割賦申込書のイメージが縮小されて一覧として掲載された縮小イメージの一覧４とから構成されている。なお、縮小イメージの一覧４においては、ＦＡＸ−ＯＣＲサーバ２１にて受信された割賦申込書の全てあるいは所定の枚数の受信内容がそのページ毎にイメージとして羅列されるものである。
【００４５】
ステップＳ６にて作成された受信確認通知書は、ＦＡＸ−ＯＣＲサーバ２１から公衆網３０を介して加盟店１０に送信される（ステップＳ７）。
【００４６】
クレジット会社２０から送信された受信確認通知書は、公衆網３０を介して加盟店１０のＦＡＸ送受信機１１にて受信される（ステップＳ８）。
【００４７】
これにより本形態においては、例えば図４に示すように、加盟店１０からクレジット会社２０に送信された割賦申込書の全ページがクレジット会社２０にて受信された場合であっても、その一部が裏返しの状態で加盟店１０から送信されてしまった場合、受信状況情報３においてはクレジット会社２０にて割賦申込書が正常に受信されたことが表示されるものの、縮小イメージの一覧４によって、加盟店１０からクレジット会社２０に送信された割賦申込書のうちその一部が裏返しの状態で送信されてしまったことが示される。また、加盟店１０からクレジット会社２０に送信された割賦申込書の送信順序についても縮小イメージの一覧４によって示されるため、所望の送信順序で割賦申込書が送信されなかった場合にその旨を加盟店１０にて認識することができる。
【００４８】
加盟店１０は、図４に示したような受信確認通知書によって、割賦申込書が正常にクレジット会社２０にて受信されているかどうかを認識することができ、送信された割賦申込書の一部が裏返しの状態で送信されてしまったり、所望の送信順序で割賦申込書がクレジット会社２０に送信されなかったりした場合は、送信した割賦申込書をクレジット会社２０に再度送信することになる。
【００４９】
また、クレジット会社２０においては、加盟店１０から送信されてきた割賦申込書のデータ加工を行う（ステップＳ９）。例えば、加盟店１０から送信されてきた割賦申込書が手書きの申込書であった場合、この割賦申込書に記入された事項を端末等（不図示）を介して入力することにより、割賦申込書をデジタルデータに加工する。また、加盟店１０から送信されてきた割賦申込書がＯＣＲ帳票である場合、この割賦申込書をＯＣＲ処理することにより割賦申込書をデジタルデータに加工する。
【００５０】
さらに、クレジット会社２０においては、割賦申込書に記入された事項に基づいて所定の審査を行う（ステップＳ１０）。この審査は、加盟店１０から送信された割賦申込書に記載された内容に基づいて、割賦販売を用いて消費者４０に商品を販売することができるか否かを判断するものであって、ステップＳ９にてデジタルデータに加工された割賦申込書を用いて行われる。
【００５１】
ステップＳ１０における審査結果は、申込書データベース２２に登録される（ステップＳ１１）。なお、審査結果の申込書データベース２２への登録においては、割賦申込書のイメージの申込書データベース２２への登録と同様に、割賦申込書の送信元となる加盟店１０を識別可能なＩＤ及びパスワードと対応づけて行われる。これにより、審査結果の申込書データベース２２への登録は、申込書データベース２２に登録された割賦申込書のイメージに対して割賦申込書毎にそれぞれ対応づけて行われることになる。
【００５２】
また、ステップＳ１０における審査結果は、クレジット会社２０から加盟店１０に通知される（ステップＳ１２）。ステップＳ１０における審査において、割賦販売を用いて消費者４０に商品を販売することができると判断された場合は、審査結果が割賦契約成立としてクレジット会社２０から加盟店１０に通知され、また、割賦販売を用いて消費者４０に商品を販売することができないと判断された場合は、審査結果が割賦契約不成立としてクレジット会社２０から加盟店１０に通知される。
【００５３】
加盟店１０は、クレジット会社２０から通知された審査結果を受け取り（ステップＳ１３）、割賦契約成立、すなわち割賦販売を用いて消費者４０に商品を販売することができると判断された場合に、消費者４０が指定する商品を消費者４０に販売し（ステップＳ１４）、消費者４０は商品を受け取ることになる（ステップＳ１５）。ここで、審査結果のクレジット会社２０からの通知及び加盟店１０における受け取りにおいては、申込書と同様に公衆網３０を介してファクシミリで行ってもよいし他の通信手段を用いて行ってもよい。
【００５４】
また、加盟店１０は、クレジット会社２０が運営するサイトを用いて、クレジット会社２０に送信した割賦申込書のクレジット会社２０における受信状態や審査結果を閲覧することもできる。
【００５５】
加盟店１０において、クレジット会社２０が運営するサイトを用いて、クレジット会社２０に送信した割賦申込書のクレジット会社２０における受信状態や審査結果を閲覧する場合、まず、クレジット会社２０が運営するサイトに端末１２を用いてアクセスする（ステップＳ１６）。
【００５６】
すると、クレジット会社２０が運営するサイトがクレジット会社２０から公衆網３０を介して送信され（ステップＳ１７）、加盟店１０の端末１２にて受信され、表示される（ステップＳ１８）。ここで、クレジット会社２０から送信され加盟店１０の端末１２にて表示されるクレジット会社２０のサイトには、加盟店１０を識別可能なＩＤやパスワードを入力するための領域が設けられている。この領域に入力すべきＩＤやパスワードは、申込書データベース２２への割賦申込書のイメージや審査結果を登録する際に用いたものであり、加盟店１０とクレジット会社２０との間にて予め決められているものとする。
【００５７】
加盟店１０にて、加盟店１０を識別可能なＩＤやパスワードを端末１２を介してサイトに入力し、送信すると（ステップＳ１９）、クレジット会社２０の申込書データベース２２に登録された割賦申込書のイメージのうち、ステップＳ１９にて加盟店１０から送信されたＩＤやパスワードに対応づけて登録された割賦申込書のイメージが抽出される（ステップＳ２０）。
【００５８】
クレジット会社２０においては、申込書データベース２２から抽出された割賦申込書のイメージを用いて、該割賦申込書のイメージの全てあるいは所定の枚数の割賦申込書のイメージが羅列された縮小イメージの一覧をサイト上に掲載し、送信する（ステップＳ２１）。
【００５９】
クレジット会社２０から送信された縮小イメージの一覧は公衆網３０を介して加盟店１０の端末１２にて受信され、端末１２上に表示される（ステップＳ２２）。
【００６０】
図５は、図１に示した受信通知システムにおいてクレジット会社２０から加盟店１０にサイトを用いて送信される縮小イメージの一覧を示す図である。
【００６１】
図５に示すように、クレジット会社２０から加盟店１０にサイトを用いて送信される縮小イメージの一覧においては、加盟店１０から送信された割賦申込書のイメージがそれぞれ縮小された縮小イメージ４−１〜４−ｎが掲載されており、また、縮小イメージ４−１〜４−ｎにはそれぞれその縮小イメージにて表示される割賦申込書についての審査結果を閲覧する際に指定するための審査結果ボタン５−１〜５−ｎが設けられている。
【００６２】
加盟店１０において、端末１２に表示された縮小イメージの一覧の中から所望の割賦申込書の詳細の閲覧を希望する場合（ステップＳ２３）、閲覧を希望する割賦申込書の縮小イメージをクリックすること等によって指定すると（ステップＳ２４）、クレジット会社２０において、申込書データベース２２の中から指定された割賦申込書のイメージが抽出され、送信される（ステップＳ２５）。
【００６３】
クレジット会社２０から送信された割賦申込書のイメージは、公衆網３０を介して加盟店１０の端末１２にて受信され、表示される（ステップＳ２６）。これにより、加盟店１０において、ステップＳ２２にて端末１２に表示される縮小イメージの内容が細かくて認識できない場合においても、閲覧を希望する割賦申込書の縮小イメージを指定すれば、指定された割賦申込書のイメージのみが端末１２にて拡大表示されることになり、所望の割賦申込書の内容を認識することが可能となる。
【００６４】
また、加盟店１０において、端末１２に表示された縮小イメージの一覧の中から所望の割賦申込書の審査結果の閲覧を希望する場合（ステップＳ２７）、審査結果の閲覧を希望する割賦申込書の縮小イメージに設けられた審査結果ボタンをクリックすること等によって指定すると（ステップＳ２８）、クレジット会社２０において、申込書データベース２２の中から指定された割賦申込書の審査結果が抽出され、送信される（ステップＳ２９）。
【００６５】
クレジット会社２０から送信された割賦申込書の審査結果は、公衆網３０を介して加盟店１０の端末１２にて受信され、表示される（ステップＳ３０）。これにより、加盟店１０において、クレジット会社２０に送信した割賦申込書の審査結果を知りたい場合、クレジット会社２０が運営するサイト上に掲載された割賦申込書のイメージを指定することにより所望の割賦申込書の審査結果を知ることが可能となる。
【００６６】
【発明の効果】
以上説明したように本発明においては、ファクシミリにてデータが送信された場合に、データの送信先にて受信された全ページのデータが一覧表示された受信確認通知書が送信元に返信される構成としたため、割賦販売を用いて商品を販売するとともに、割賦販売の申し込みを行うための割賦申込書を、当該割賦販売を取り扱う割賦販売業者に送信する加盟店等のデータの送信元において、割賦申込書を割賦販売業者等のデータの送信先にファクシミリにて送信した場合に、データの送信先におけるデータの受信状態を、送信したデータのページ毎に認識することができ、データの送受信のページ数が一致する場合であっても、データの一部が裏返しの状態で送信されてしまったり、所望の送信順序でデータが送信されなかったりした場合に、その旨を認識することができる。
【００６７】
また、データの送信先にて受信された全ページのデータの一覧や、該データが割賦販売を申し込みための割賦申込書であった場合にこの割賦申込書に対する割賦契約の成立の可否が表示される情報画面がデータの送信元にて閲覧可能に構成されたものにおいては、データの送信元において、データの送信先における受信状態や、該データが割賦申込書であった場合にこの割賦申込書に対する割賦契約の成立の可否をこの情報画面上にて認識することができる。
【図面の簡単な説明】
【図１】本発明の受信通知システムの実施の一形態を示す図である。
【図２】図１に示した受信通知システムにおいて割賦販売を用いて商品を販売する際の処理の一例を説明するためのフローチャートである。
【図３】図１に示した受信通知システムにおいて用いられる割賦申込書の一例を示す図である。
【図４】図１に示した受信通知システムにおいてクレジット会社にて作成される受信確認通知書の一例を示す図である。
【図５】図１に示した受信通知システムにおいてクレジット会社から加盟店にサイトを用いて送信される縮小イメージの一覧を示す図である。
【図６】割賦販売を用いて商品を販売する際の処理の一例を説明するためのフローチャートである。
【図７】クレジット会社から加盟店に送信される受信結果の一例を示す図であり、（ａ）は加盟店から送信された割賦申込書がクレジット会社にて正常に受信された場合にクレジット会社から加盟店に送信される受信結果を示す図、（ｂ）は加盟店から送信された割賦申込書がクレジット会社にて正常に受信されなかった場合にクレジット会社から加盟店に送信される受信結果を示す図である。
【符号の説明】
１    個人情報
２    購入情報
３    受信状況情報
４    縮小イメージの一覧
４−１〜４−ｎ    縮小イメージ
５−１〜５−ｎ    審査結果ボタン
１０    加盟店
１１    ＦＡＸ送受信機
１２    端末
２０    クレジット会社
２１    ＦＡＸ−ＯＣＲサーバ
２２    申込書データベース
３０    公衆網
４０    消費者
【図１】
0004499948.tif 000002
【図２】
0004499948.tif 000003
【図３】
0004499948.tif 000004
【図４】
0004499948.tif 000005
【図５】
0004499948.tif 000006
【図６】
0004499948.tif 000007
【図７】
0004499948.tif 000008